(57)【特許請求の範囲】
【請求項１】
先端にボールが内向きの先端縁部により回転可能に抱持されたチップ本体と、前記チップ本体の後部を保持するホルダーと、前記ボールを前方に付勢して前記ボールを先端縁部の内面に密接させるコイルバネとを備えたボールペンであって、前記チップ本体内面または前記ホルダー内面に突起を設け、前記コイルバネのコイル部の後端部に、前記突起を乗り越え係止可能な大径部と、該大径部から後方に連設され、前記コイルバネを前方への押圧によって組み込む際に前方に変形し前記大径部の内部に収容される小径部とを備え、前記大径部及び前記小径部が密着巻部よりなり、前記大径部の前面に、前方に向かうに従い外径が小さくなる傾斜部を形成し、前記小径部が直円筒状の密着巻部からなり、前記コイルバネを前方への押圧によって組み込む際、小径部が前方に変形し、大径部の内部に収容されると同時に、大径部の傾斜部の内面及びコイル部の後端が小径部により前方に押圧されることを特徴とするボールペン。
【発明の詳細な説明】
【０００１】
【発明の属する技術分野】
本発明はボールペンに関する。詳細には、先端にボールが内向きの先端縁部より回転可能に抱持されたチップ本体と、前記チップ本体の後部を保持するホルダーと、前記ボールを前方に付勢して前記ボールを先端縁部の内面に密接させるコイルバネとを備えたボールペンに関する。
【０００２】
【従来の技術】
従来、この種のボールペンにおいて、例えば、特開平１０−３２９４７５号公報には、チップ本体内に、その後端開口部から転写ボールを前方に付勢するコイルバネ（スプリング）を組み込み、コイルバネ後端をチップ本体の内面に設けたバネ係止用の突起（バネ係止凸部）に係止させる構成が開示されている。
【０００３】
前記従来のボールペンは、コイルバネを圧縮変形させながらコイルバネの後端を押し棒により前方へ押圧される。前記押し棒は、バネ係止用の突起部分に挿通可能なよう、その外径がバネ係止用の突起の内径よりも小さく設定される。そのため、コイルバネを組み込む際、押し棒がコイルバネの後端部の内面に入り込み、コイルバネを適正にチップ本体内に組み込むことができないおそれがある。
【０００４】
【発明が解決しようとする課題】
本発明は前記従来の問題点を解決するものであって、コイルバネの組み込み時に、押し棒がコイルバネの後端部内面に入り込むおそれがなく、確実にコイルバネを適正箇所に組み込むことができるボールペンを提供しようとするものである。
【０００５】
【課題を解決するための手段】
〔１〕本発明のボールペン１は、先端にボール２１が内向きの先端縁部２２により回転可能に抱持されたチップ本体２と、前記チップ本体２の後部を保持するホルダー３と、前記ボール２１を前方に付勢して前記ボール２１を先端縁部２２の内面に密接させるコイルバネ４とを備えたボールペンであって、前記チップ本体２内面または前記ホルダー３内面に突起３１を設け、前記コイルバネ４のコイル部４２の後端部に、前記突起３１を乗り越え係止可能な大径部４３と、該大径部４３から後方に連設され、前記コイルバネ４を前方への押圧によって組み込む際に前方に変形し前記大径部４３の内部に収容される小径部４４とを備え、前記大径部４３及び前記小径部４４が密着巻部よりなり、大径部４３の前面に、前方に向かうに従い外径が小さくなる傾斜部４３ａを形成し、前記小径部４４が直円筒状の密着巻部からなり、前記コイルバネ４を前方への押圧によって組み込む際、小径部４４が前方に変形し、大径部４３の内部に収容されると同時に、大径部４３の傾斜部４３ａの内面及びコイル部４２の後端が小径部４４により前方に押圧されること（請求項１）を特徴とする。
【０００６】
コイルバネ４を組み込む際、押し棒７によりコイルバネ４の後端部を前方に押圧すると、小径部４４が前方に変形して大径部４３の内部に収容された状態となる。そのため、コイルバネ４の後端部において、押し棒７との安定した当接部を形成することができる。その結果、コイルバネ４の組み込み時、押し棒７がコイルバネ４の後端部内面に入り込むおそれがなく、確実にコイルバネ４の大径部４３を、チップ本体２内面の突起またはホルダー３内面の突起３１に乗り越え係止させることができる。尚、ホルダー３は、インキ収容管５を兼ねる構成でもよい。
【０００８】
密着巻部により、大径部４３及び小径部４４の剛性が増し、押し棒７により押圧される際、ぐらついたりすることがなく、より一層、安定したコイルバネ４の組み込みが可能となる。
【００１０】
大径部４３の前面に傾斜部４３ａを備えることにより、後方から大径部４３がバネ係止用の突起３１を乗り越える際、大径部４３が、突起３１に引っ掛かることなく滑らかに突起３１を乗り越えることができる。さらに、大径部４３の傾斜部４３ａの内面を、前方に変形され且つ大径部４３内に収容された小径部４４が押圧する。そのため、より一層、安定したコイルバネ４の組み込みが可能となる。尚、前記傾斜部４３ａの外面は、例えば、円錐面、凸曲面、凹曲面等が挙げられる。
【００１１】
【発明の実施の形態】
本発明の実施の形態を図面に従って説明する。
【００１２】
（実施例）
図１乃至図５に本発明の一実施例を示す。
本実施例のボールペン１は、先端にボール２１を回転可能に抱持したチップ本体２と、該チップ本体２の後部が前部に圧入固着されたホルダー３と、該ホルダー３の後部が先端開口部に圧入固着されたインキ収容管５と、前記チップ本体２の内部及びホルダー３の内部に収容配置されるコイルバネ４と、前記インキ収容管５の後端開口部に圧入固着される尾栓６とからなる。
【００１３】
前記インキ収容管５は、両端が開口された円筒体であり、合成樹脂の押出成形により得られる。前記インキ収容管５の先端開口部には、チップ本体２を有するホルダー３の後部が圧入固着され、一方、前記インキ収容管５の後端開口部には、通気孔が貫設された尾栓６が圧入固着される。前記インキ収容管５の内部には、インキ５１（例えば、剪断減粘性が付与された水性ゲルインキ、または中粘度の油性インキ）と、該インキ５１の後端に配置され且つ該インキ５１の消費に伴って前進するグリス状の追従体５２とが充填される。
【００１４】
前記チップ本体２は、金属製（例えば、ＳＵＳ３０４、ＳＵＳ３２１等のオーステナイト系のステンレス鋼製）の直円筒状の細管よりなる。前記チップ本体２の先端部には、内方への押圧変形により環状の内向きの先端縁部２２が形成される。さらに、前記先端縁部２２の後方のチップ本体２２の側壁内面には、内方への押圧変形により３個の内方突出部２３（即ちボール受け座）が周方向等間隔に形成される。前記先端縁部２２内面と前記内方突出部２３前面との間（即ちボール抱持部）にボール２１が回転可能に抱持される。
【００１５】
前記ホルダー３は、合成樹脂（例えば、ポリプロピレン、ポリアセタール等）の射出成形により得られる筒状体である。前記ホルダー３は、チップ本体２が取付られる先細状の前部と、インキ収容管５の先端面と当接する鍔部と、インキ収容管５の先端開口部に圧入される後部とからなる。前記ホルダー３の内部には、先端が外部に開口するチップ取付孔と、該チップ取付孔に先端が連通し且つ後端が外部に開口するインキ流通孔とが設けられる。前記インキ流通孔の中間部内面には、周状に分散配置される複数（例えば４個）のバネ係止用の突起３１が一体に形成される。尚、前記突起３１は，環状に形成されてもよい。
【００１６】
前記コイルバネ４は、線径０．１４ｍｍのステンレス鋼製線材により、前部のロッド部４１と、後部のコイル部４２とが一体に連設されてなる。前記コイル部４２の後端部には、前方のコイル部４２の外径よりも大きい外径を有する密着巻部よりなる大径部４３が形成される。さらに、前記大径部４３の後方には、密着巻部よりなる小径部４４が一体に連設される。
【００１７】
前記コイルバネ４の大径部４３は、ホルダー３内面の突起３１と乗り越え係止され、その前方のコイル部４３を圧縮状態でホルダー３内に収容配置される。そして、前記コイルバネ４のロッド部４１が、チップ本体２内に挿入され、その先端をボール２１後面に当接させ、ボール２１を前方に押圧し、ボール２１前面と先端縁部２２内面とを環状に密接させる。
【００１８】
本実施例のボールペン１は、非筆記時、前記コイルバネ４のロッド部４１によりボール２１が前方に押圧され、前記ボール２１と前記先端縁部２２の内面とが密接され、それにより、ペン先がシールされる。それにより、ペン先を下向き状態で保管したとしても、ペン先からのインキ漏出が防止され、また、ペン先を上向き状態で保管したとしても、ペン先からの空気混入が防止される。
【００１９】
本実施例では、前記大径部４３は、前面の３巻の傾斜状の密着巻部よりなる傾斜部４３ａと、後面の垂直状の密着巻部よりなる垂直部４３ｂと、前記傾斜部４３ａと前記垂直部４３ｂの間の２巻の直円筒状の密着巻部よりなる最大外径部とが一体に連設されてなる。前記小径部４４は、４巻の直円筒状の密着巻部からなり、前記垂直部４３ｂと一体に連設される。また、前記大径部４３の最大外径は、１．６ｍｍに設定され、前記大径部４３の前方のコイル部４２の外径は、１．０ｍｍに設定され、前記小径部４４の外径は、１．０ｍｍ（コイル部４２と同外径）に設定されている。
【００２０】
（コイルバネ組み込み過程）
本実施例のコイルバネ４の組み込み過程を順に説明する（図２〜図５参照）。はじめに、図２に示すように、コイルバネ４は、チップ本体２が前部に固着されたホルダー３の後端開口部より挿入される。このとき、コイルバネ４は、フリー状態（非圧縮状態）であり、ロッド部４１先端をボール２１後面に当接させるとともに、大径部４３及び小径部４４を、ホルダー３内面の突起３１よりも後方に位置させている。
【００２１】
次に、図３及び図４に示すように、押し棒７によりコイルバネ４の後端部を前方に押圧する。前記押し棒７は、小径部４４内径より小さい外径を有する凸部７１を先端に備えると共に、前記凸部７１の外周に、小径部４４外径より大きい外径を有し且つ大径部４３外径より小さい外径を有する環状当接面７２を備える。前記押し棒７の凸部７１が小径部４４内に挿入されると共に、前記押し棒７の環状当接面７２が小径部４４の後端及び外径部４３の垂直面を前方に押圧する。それにより、小径部４４が前方に変形し、大径部４３の内部に収容されると同時に、大径部４３の傾斜部４３ａの内面及びコイル部４２の後端が小径部４４により前方に押圧される。そのため、前記押し棒７がコイル部４２内面に入り込むことによるコイル部４２を引っ張り変形させることがなく、大径部４３がホルダー３内面の突起３１を確実に乗り越えることができる。
【００２２】
最後に、前記押し棒７をホルダー３内部から抜くと、図５に示すように、大径部４３はホルダー３内面の突起３１に係止状態となる。図５では、このとき、小径部４４は、大径部４３内部より外部に突出した元の状態に戻っているが、前記小径部４４は、コイルバネ４の組み込み後は、元の状態にもどらなくてもよく、大径部４３内に収容された状態であってもよい。
【００２３】
【発明の効果】
請求項１の発明により、コイルバネの組み込み時に、押し棒がコイルバネの後端部内面に入り込むおそれがなく、確実にコイルバネを適正箇所に組み込むことができる。
【００２４】
請求項１の発明により、大径部及び小径部の剛性が増し、押し棒により押圧される際、ぐらついたりすることがなく、より一層、安定したコイルバネの組み込みが可能となる。
【図面の簡単な説明】
【図１】本発明の一実施例を示す縦断面図である。
【図２】図１の実施例の挿入直後のフリー状態のコイルバネを示す要部拡大縦断面図である。
【図３】図１の実施例の押し棒により押圧された状態のコイルバネを示す要部拡大縦断面図である。
【図４】図３のＡ部拡大図である。
【図５】図１の実施例のコイルバネ組み込み完了状態を示す要部拡大縦断面図である。
【符号の説明】
１  ボールペン
２  チップ本体
２１  ボール
２２  先端縁部
２３  内方突出部
３  ホルダー
３１  突起
４  コイルバネ
４１  ロッド部
４２  コイル部
４３  大径部
４３ａ  傾斜部
４３ｂ  垂直部
４４  小径部
５  インキ収容管
５１  インキ
５２  追従体
６  尾栓
７  押し棒
７１  凸部
７２  環状当接面
【図１】
0004462597.tif 000002
【図２】
0004462597.tif 000003
【図３】
0004462597.tif 000004
【図４】
0004462597.tif 000005
【図５】
0004462597.tif 000006